(57)【要約】      （修正有）【課題】着用していても小便をする際にスムーズに前方に開口部を作ってストレス無く男性器を引き出することのできるズボン下を提供する。【解決手段】ズボンと下着との間に着用するズボン下１０において、その前面にはズボン下１０を穿く人の下腹部右上から股間に向かう斜めのスリット２を有している。ズボン下を穿く人から見てスリット２の右側に位置する右側縁２ａの裏面に、その右側縁２ａに沿ってあて布４が取り付けられている。このあて布４の一部は右側縁２ａより１ｃｍ〜３ｃｍ突出して縁出部４ａとなっている。 【選択図】図５
0003174945.tif 000002
【実用新案登録請求の範囲】
【請求項１】
ズボンと下着との間に着用するズボン下であって、
前面には該ズボン下を穿く人の下腹部右上から股間に向かう斜めのスリットを有していることを特徴とするズボン下。
【請求項２】
ズボン下を穿く人から見て前記スリットの右側に位置する右側縁の裏面に該右側縁に沿ってあて布が取り付けられており、
該あて布の一部は前記右側縁より１ｃｍ以上３ｃｍ以下突出することにより縁出部を形成している
ことを特徴とする請求項１記載のズボン下。
【考案の詳細な説明】
【技術分野】
【０００１】
本考案は、ブリーフ，トランクスなどの下着（アンダーパンツ）とズボンとの間に中間着として着用するズボン下に関するものである。
【背景技術】
【０００２】
男性が小便をする際には、ズボン前面に備えられたチャック，ボタンなどを用いて前方に開口部を作り、次いでブリーフなど下着の前方の開口部を通して男性器を引き出す。そしてズボンの外に露出させた男性器より小便を便器に向かって放出する。
【０００３】
図６は一般的なブリーフ(30)の前面を示した図である。ブリーフ(3)の前面は布が一部重るように形成されており、前面内側布(32)の外側に前面外側布(31)が重なっている。(32a
)は前面内側布(32)の開口縁部であり、(31a)は前面外側布(31)の開口縁部である。
【０００４】
通常、ブリーフ(3)を穿いたときに穿いている人から見て左側の布が前面外側布(31)となるように作られている。そのため前面外側布(31)と前面内側布(32)との重なり方は「左前」と呼ばれる。
【０００５】
小便をする際には図７に示すように指で前面外側布開口縁部(31a)を左側に寄せて、前面内側布(32)の露出を広くする。次に、図８に示すように前面外側布開口縁部(31a)から差し入れた指で前面内側布開口縁部(32a)を右側に寄せる。これにより前面外側布開口縁部(31a)と前面内側布開口縁部(32a)との間で開口部(35)が形成され、この開口部(35)を通して男性器を引き出して放尿する。
【０００６】
下着（アンダーパンツ）にはブリーフ，トランクス，ボクサーパンツ等いろいろなタイプがあるが、いずれも「左前」となっており、同様な操作により前方に開口部を形成できるようになっている。
【０００７】
寒い時期には防寒のためにブリーフ等の下着とズボンとの間に中間着として「パッチ」、「猿股」、「股引き（ももひき）」更には「タイツ」等の「ズボン下」を穿く男性が多い。又、温暖な時期にも汗がズボンに付着しないように、又はさらっとした肌触りを求めて「ステテコ」などの「ズボン下」を着用することがある。
【０００８】
図９は一般的なズボン下(20)を示した図である。ズボン下(20)もブリーフ(30)と同様に小便をする際に男性器を通すための開口を設けるために、前方の布が一部重るように形成されている。前面内側布(22)の外側に前面外側布(21)が「左前」で重なっている。
【０００９】
小便をする際にはまず前面外側布(21)の開口縁部(21a)を左側に、次に前面内側布(22)の開口縁部(21a)を右側に寄せることにより前方に開口部を形成させる。その後に、ブリーフ(30)の前面外側布(31)と前面内側布(32)を寄せてブリーフ(30)前面に開口部(35)を形成させる必要がある。
【００１０】
図１０は着ている人の下腹部(100)と、下着(30)と、ズボン下(20)と、ズボン(40)の重っている様子を模式的に示した断面図である。同図では下側が着用している人の前方となるように表している。
【００１１】
小便をしようとすると、まずズボン(40)のチャックを開いて前方に開口部(41)を形成する。次いで、ズボン下(20)の前方に開口部を形成し、更にブリーフ(30)の前方に開口部を形成する。この３つの開口部を通して男性器を引き出すことになる。
【００１２】
つまりズボン(40)のチャックを開いた後に、
(A)ズボン下(20)の前面外側布(21)を左側に寄せる。
(B)ズボン下(20)の前面内側布(22)を右側に寄せる。
(C)ブリーフ(30)の前面外側布(31)を左側に寄せる。
(D)ブリーフ(30)の前面内側布(32)を右側に寄せる。
という４回の操作が必要となる。
【００１３】
この操作をしっかりと行わないと、ズボン下(20)やブリーフ(30)の前方に形成される開口部の面積が狭くなり、男性器を引き出すことができない。また、引き出せたとしても男性器が狭い開口部に挟まれるようになり、尿道が圧迫され小便が出にくくなる。
【００１４】
この重なり合った布を４回もかき分けるような作業は面倒であり円滑に行うことができない。特に小便がしたくてあわてているような場合には、もどかしく感じ、イライラ感が高まる。
【００１５】
しかも外出先の便所を使用する際には片手に荷物を持っていることも多い。その場合は、荷物を持っていない片手のみでこの面倒な作業をしなくてはならず、男性器を引き出すのは非常に面倒で不快な作業となる。
【００１６】
このような不便があるため、従来から色々な解決手段が提案されていた。例えばズボン下の股間部分を丸く又は四角く切り欠いて開口を設けておくというアイデアがあった。これによれば、もともと大きな開口があるのでズボン下の開口を作るために重なった布を寄せる必要がない。そのため、ズボン下を穿いていても小便をする際の煩わしさが少なくなる。
【００１７】
しかし股間に大きな穴が常時開いているため保温性に乏しい。また、ズボンを脱いだ際にズボン下の穴が目立つため格好が悪い。
【００１８】
また実開平６−５４７０２号ではズボン下の開口箇所について布の重ね合わせを通常とは逆の「右前」にするという提案がなされている。図１１はこのような「右前」のズボン下(50)を示した図である。穿いている人から見て前面内側布(51)が左側、(52)前面外側布が右側となっている。
【００１９】
図１２は「右前」のズボン下を穿いた状態を説明する模式的な断面図である。ズボン下(50)の前面内側布(51)と、ブリーフ(30)の前面外側布(31)を同時に摘んで寄せることができる。したがって、つまりズボン(40)のチャックを開いた後は、
(A)ズボン下(50)の前面外側布(52)を右側に寄せる。
(B)ズボン下(50)の前面内側布(51)とブリーフ(30)の前面外側布(31)を一緒に左側に寄せる。
(C)ブリーフ(30)の前面内側布(32)を右側に寄せる。
という３回の操作となる。
【００２０】
従来の操作は４回であったので、１回分操作の手間が少なくなり、小便をする際に男性器を露出させるためのストレスが軽減される。しかしながら、操作の手間は１回しか少なくならないため、手間の軽減には成るが大きな効果は得られない。
【００２１】
また、最初にズボン下(50)の前面外側布(52)を右に寄せることは慣れていないと戸惑ってしまう。ブリーフ(30)の開口手順として、「前面外側布(31)を左に寄せて、次に前面内側布(32)を右に寄せる」という「左」・「右」のリズムが習慣と成っているため、ズボン下についても無意識に「最初は左に寄せ、次に右に寄せる」という操作をしようとするためである。したがってよほど慣れないと着用者を却って混乱させ、ストレスを増やしてしまうことにもなりかねない。
【先行技術文献】
【特許文献】
【００２２】
【特許文献１】実開平６−５４７０２号公報
【考案の概要】
【考案が解決しようとする課題】
【００２３】
そこで本考案は、着用していても小便をする際にスムーズに開口部を作ってストレス無く男性器を引き出することのできるズボン下を提供することを課題とする。
【課題を解決するための手段】
【００２４】
請求項１記載のズボン下(1)はズボン(40)と下着(30)との間に着用するズボン下であって、前面には該ズボン下(1)を穿く人の下腹部右上から股間に向かう斜めのスリット(2)を有していることを特徴とする。
【００２５】
これによれば、小便をしようとするときにスリット(2)を左右に開いてズボン下(1)に開口を設けることができる。しかも、スリット(2)は穿く人の下腹部右上から股間に向かって斜めに設けられているため、スリット(2)に手を差し入れるなどして下に穿いているブリーフ(30)等の前面外側布(31)と一緒に左側に寄せることができる。したがって、ズボン下(1)を開口させつつ、ブリーフ(30)等の前面外側布(31)を開けることができる。ズボン下(1)を開口させるためだけに別途操作を行う必要がないので、スムーズにズボン下(1)とブリーフ(30)等を開口させて男性器を引き出すことができる。
【００２６】
請求項２記載のズボン下(10)は請求項１記載のズボン下において、ズボン下(10)を穿く人から見て前記スリット(2)の右側に位置する右側縁(2a)の裏面に該右側縁(2a)に沿ってあて布(4)が取り付けられており、該あて布(4)の一部は前記右側縁(2a)より１ｃｍ以上３ｃｍ以下突出することにより縁出部(4a)を形成していることを特徴とする。
【００２７】
これによれば、スリット(2)の奥に縁出部(4a)が位置することになるので、ズボン下(10)を穿いている人が動くなどしてスリット(2)に少し隙間ができても、下に穿いているブリーフ(30)などの下着が露出しにくい。
【考案の効果】
【００２８】
ズボン(40)とブリーフ等の下着(30)との間に本考案のズボン下(1)を着用すると、小便をする際にズボン下(1)と下着(30)を同時に操作してスムーズに開口を作ることができる。そのため、ストレス無く簡単に男性器を引き出して小便をすることができる。
【図面の簡単な説明】
【００２９】
【図１】実施例１を示した図。
【図２】実施例１の前方を開口させた状態を示した図。
【図３】実施例を穿いた状態を説明する模式的な断面図。
【図４】実施例を穿いて前方を開口させた状態を説明する模式的な断面図。
【図５】実施例２を示した図。
【図６】ブリーフを示した図。
【図７】ブリーフの前面外側布を寄せた状態を示した図。
【図８】ブリーフ（前方を開口した状態）を示した図。
【図９】従来のズボン下を示した図。
【図１０】従来のズボン下を穿いた状態を説明する模式的な断面図。
【図１１】従来のズボン下（右前タイプ）を示した図。
【図１２】従来のズボン下（右前タイプ）を穿いた状態を説明する模式的な断面図。
【考案を実施するための形態】
【００３０】
以下、本考案を好適な実施例を用いて説明する。
【実施例１】
【００３１】
図１は本実施例のズボン下(1)を示した図である。(2)はズボン下(1)の前面に設けられたスリットであ。(3)はズボン下(1)を穿いている人から見て、スリット(2)の左側に位置するズボン下の前部であり、男性器の辺りを覆っている。スリット(2)は穿いている人の下腹部の右上から左下方向、つまり股間方向に向かって斜めに形成されている。
【００３２】
スリット(2)の上端は腰ゴム部(6)の近傍に至り、スリット(2)の下端は股間の近傍に至っている。スリット(2)の形状は直線的なものでも、緩い曲線を描くような形状でもよい。このスリット(2)より指先を差し入れたときに、下に穿いているブリーフ(30)の前面外側布開口縁部(31a)に指先がかかりやすいようにスリットを形成することが望ましい。ただし、ブリーフ(30)等の前面外側布開口縁部(31a)のラインは物によって少し異なり、ズボン下(1)も伸縮性があるので、厳密にスリット(2)の形状を前面外側布開口縁部(31a)の形状に一致させる必要はない。
【００３３】
図２はこのズボン下(1)の前方に開口部(5)を形成した状態を示した図である。ズボン下(1)の前部(3)を穿いている人から見て左側に寄せてスリット(2)を開くと、スリット(2)が開き、スリット(2)の右側縁(2a)と左側縁(2b)との間に男性器を通すための開口部(5)が形成される。
【００３４】
スリット(2)は斜めに形成させているため、その下に穿いているブリーフ(30)の前面外側布開口縁部(31a)に沿っていることになる。通常、スリット(2)は閉じた状態となっているので、下に穿いているブリーフ(30)は見えない。
【００３５】
図３は本実施例のズボン下(1)を穿いた状態を説明する模式的な断面図であり、図４は本実施例のズボン下(1)を穿いて前方を開口させた状態を説明する模式的な断面図である。スリット(2)は下に穿いているブリーフ(30)の前面外側布開口縁部(31a)に沿っているので、スリット(2)に指先をかける等してズボン下の前部(3)とブリーフ(30)の前面外側布(31)を一緒に左側に寄せることができる。
【００３６】
そのため、ズボン(40)のチャックを開いた後は、
(A)ズボン下(1)の前部(3)とブリーフ(30)の前面外側布(31)を一緒に左側に寄せる。
(B)ブリーフ(30)の前面内側布(32)を右側に寄せる。
という２回の操作だけでよい。
【００３７】
これは、ズボン(40)の下にブリーフ(30)だけを穿いている場合と同じ手間である。つまりズボン下を穿いていないのと同じ手間であるといえる。後は、ブリーフ(30)の開口部(35)、ズボン下(1)の開口部(5)、ズボン(40)の開口部(41)を通して男性器を引き出せばよい。
【００３８】
寄せ方もブリーフ(30)のみを穿いているときと同様に、「左」・「右」の順で行うことができるため、前述した「右前」のズボン下(50)を穿いているときのように寄せる順を混乱してしまうことも無い。つまり、「右前」のズボン下(50)と比べて、単に１回手間が少ないというだけではなく、慣れなくても容易に操作することができるという大きな違いがある。
【実施例２】
【００３９】
図５は本実施例のズボン下(10)を示した図である。基本構成は実施例１のズボン下(1)と同様である。異なるのはスリット右側縁(2a)の裏面側に縁に沿って細長いあて布(4)が取り付けられている点である。そして、あて布(4)の一部はスリット右側縁(2a)より１ｃｍ以上３ｃｍ以下突出して縁出部(4a)を形成している。これによりスリット(2)が閉じているときには、縁出部(4a)の表面とスリット左側縁(2b)の裏面の一部とが重なることとなる。
【００４０】
この場合、穿いている人が動くなどしてスリット(2)の右側縁(2a)と左側縁(2b)との間に僅かな隙間ができても、スリット(2)の奥には縁出部(4a)があるため下に穿いているブリーフが露出しにくい。縁出部(4a)の右側縁(2a)からの突出長さを１ｃｍ以上としたのは、１ｃｍ未満だとスリット(2)に隙間ができたときに下のブリーフ(30)等を隠す効果があまり期待できないためである。また、突出長さを３ｃｍ以下としたのは、３ｃｍを越えて幅を広くするとスリット(2)の奥に位置するブリーフ(30)の前面外側布(31)に指をかける際に邪魔になるからである。
【００４１】
縁出部(4a)とスリット左側縁(2b)との重なりは僅か１ｃｍ〜３ｃｍであり、しかも右側縁(2a)より奥−＊／＊に位置するため、スリット右側縁(2a)から手を差し入れてズボン下(10)の前部(3)とブリーフ(30)の前面外側布(31)とを一緒に左側に寄せる際に邪魔にはならない。
【００４２】
尚、必要より縁出部(4a)とスリット左側縁(2b)の裏面とに面ファスナー，留め具などの結合部材を設けて、普段はスリット(2)が開かないようにしておいても良い。
【産業上の利用可能性】
【００４３】
本考案のズボン下は、「パッチ」，「猿股」，「股引き」，「タイツ」，「ステテコ」等の各種のズボン下に適用することができる。
【符号の説明】
【００４４】
１    ズボン下（実施例１）
２    スリット
２ａ  スリット右側縁
２ｂ  スリット左側縁
３    ズボン下の前部
４    スリットのあて布
４ａ  あて布の縁出部
５    ズボン下の開口部
６    ズボン下の腰ゴム部
１０  ズボン下（実施例２）
２０  ズボン下（従来例１）
２１  ズボン下の前面外側布
２１ａ  ズボン下の前面外側布開口縁部
２２  ズボン下の前面内側布
２２ａ  ズボン下の前面内側布開口縁部
３０  ブリーフ
３１  ブリーフの前面外側布
３１ａ  ブリーフの前面外側布開口縁部
３２  ブリーフの前面内側布
３２ａ  ブリーフの前面内側布開口縁部
３５  ブリーフの前の開口部
４０  ズボン
４１  ズボンの前の開口部
５０  ズボン下（従来例２）
５１  ズボン下の前面内側布
５２  ズボン下の前面外側布
１００  下腹部
【図１】
0003174945.tif 000003
【図２】
0003174945.tif 000004
【図３】
0003174945.tif 000005
【図４】
0003174945.tif 000006
【図５】
0003174945.tif 000007
【図６】
0003174945.tif 000008
【図７】
0003174945.tif 000009
【図８】
0003174945.tif 000010
【図９】
0003174945.tif 000011
【図１０】
0003174945.tif 000012
【図１１】
0003174945.tif 000013
【図１２】
0003174945.tif 000014